(57)【要約】【課題】  簡単な操作で、状況に応じた内容の情報を適切に参照できるようにする。【解決手段】  電子楽器において、ディスプレイに表示させる画面の内容を示すデータとして、通常表示と簡略表示の画面データをそれぞれ用意しておくと共に、各画面において、簡略表示を使用するか否かを示す簡略画面使用フラグも用意しておく。さらに、ディスプレイへの表示を通常表示とするか簡略表示とするかの表示形式の設定も受け付けておく。そして、画面の移動を行う場合に、移動先の画面について簡略画面使用フラグがＯＮの場合には（Ｓ２２）、その画面を、設定されている表示形式でディスプレイに表示させる（Ｓ２３，Ｓ２５）。ＯＦＦの場合には、表示形式の設定によらず、通常形式で表示させる（Ｓ２４，Ｓ２５）。【選択図】        図７
2010169866.tif 000002
【特許請求の範囲】
【請求項１】
表示器と、
表示器に表示させる画面の内容を示すデータとして、それぞれ画面ＩＤを有する複数の通常表示の画面のデータと、該通常表示の画面のいずれかと対応づけられ、対応する通常表示の画面に表示される情報の一部を表示する簡略表示の画面のデータとを記憶し、さらに、前記各通常表示の画面のうちいずれについて前記簡略表示を使用するかを示す使用データを記憶する記憶手段と、
前記表示器に表示させる画面の表示形式を前記通常表示とするか前記簡略表示とするかの選択を受け付ける受付手段と、
前記表示器に表示させる画面の画面ＩＤを決定する画面決定手段と、
前記画面決定手段が決定した画面ＩＤの画面につき、前記受付手段が受け付けた選択と、前記記憶手段が記憶しているデータとに従い、前記表示器に表示させる画面を前記通常表示と前記簡略表示のうち何れの表示形式とするかを決定し、前記画面決定手段が決定した画面ＩＤの画面を、その決定した表示形式で前記表示器に表示させる表示制御手段とを有し、
前記表示制御手段は、前記使用データが、前記画面決定手段が決定した画面ＩＤの画面について前記簡略表示を使用しない旨を示すものであった場合に、前記受付手段が受け付けた選択に関わらず、前記通常表示の画面を前記表示器に表示させる手段であることを特徴とする電子楽器。
【請求項２】
請求項１に記載の電子楽器であって、
前記複数の通常表示の画面は、画面の遷移順を基準とするツリー構造を有し、該ツリー構造の最上位の画面についてのみ、前記使用データが前記簡略表示を使用する旨を示すデータとなっており、前記最上位以外の画面については、前記記憶手段に前記簡略表示の画面のデータは記憶されておらず、かつ、前記使用データが前記簡略表示を使用しない旨を示すデータとなっていることを特徴とする電子楽器。
【請求項３】
請求項１又は２に記載の電子楽器であって、
前記記憶手段は、１つの前記通常表示の画面と対応する複数種類の簡略表示の画面のデータを記憶する手段であり、
前記受付手段は、前記表示器に前記複数種類のうちいずれの種類の簡略表示の画面を表示させるかの選択も受け付ける手段であることを特徴とする電子楽器。
【請求項４】
請求項３に記載の電子楽器であって、
ユーザの操作に従って前記記憶手段が記憶している簡略表示の画面のデータを編集する手段と、
ユーザの操作に従って前記簡略表示の画面のデータを作成し、新たな種類の簡略表示の画面のデータとして前記記憶手段に記憶させる手段とを有し、
前記受付手段は、その新たな種類の簡略表示の画面を表示させる選択も受け付ける手段であることを特徴とする電子楽器。
【発明の詳細な説明】
【技術分野】
【０００１】
この発明は、電子楽器に関し、特に、画面の表示切り替えに特徴を有する電子楽器に関する。
【背景技術】
【０００２】
近年のキーボード、電子オルガン、シンセサイザ等の電子楽器においては、機能が多様化、複雑化しており、それに伴って、操作パネルに比較的大型の液晶ディスプレイ等の表示器を設け、１画面にたくさんの情報を表示するようになってきた。そして、このように大型の表示器を用いると、多岐に亘る設定内容を確認したり編集したりするためには便利である。
【０００３】
しかし、１画面にたくさんの情報を表示すると、例えば演奏中など、集中して画面を見られない状態では、必要な情報を見つけづらく、却って不便である場合もある。
このような状況に対応する技術としては、適用される装置は異なるが、特許文献１に、車載用装置の表示制御方式として、停車中の場合には詳細画像を表示し、走行中の場合には簡略画像を表示するようにする技術が提案されている。
【先行技術文献】
【特許文献】
【０００４】
【特許文献１】特開２０００−４３６５２号公報
【発明の概要】
【発明が解決しようとする課題】
【０００５】
しかし、特許文献１に記載の技術では、詳細画像と簡略画像のどちらを表示するかを選択するために、自車の走行速度を検出するための各種センサが必要となり、電子楽器に適用することはできない。また、詳細画像と簡略画像との間の切り替えが一律的であり、この点でも電子楽器におけるニーズには合わない。
この発明は、このような状況に鑑みてなされたものであり、電子楽器において、簡単な操作で、状況に応じた内容の情報を適切に参照できるようにすることを目的とする。
【課題を解決するための手段】
【０００６】
この発明は、上記の目的を達成するため、電子楽器において、表示器と、表示器に表示させる画面の内容を示すデータとして、それぞれ画面ＩＤを有する複数の通常表示の画面のデータと、その通常表示の画面のいずれかと対応づけられ、対応する通常表示の画面に表示される情報の一部を表示する簡略表示の画面のデータとを記憶し、さらに、上記各通常表示の画面のうちいずれについて上記簡略表示を使用するかを示す使用データを記憶する記憶手段と、上記表示器に表示させる画面の表示形式を上記通常表示とするか上記簡略表示とするかの選択を受け付ける受付手段と、上記表示器に表示させる画面の画面ＩＤを決定する画面決定手段と、上記画面決定手段が決定した画面ＩＤの画面につき、上記受付手段が受け付けた選択と、上記記憶手段が記憶しているデータとに従い、上記表示器に表示させる画面を上記通常表示と上記簡略表示のうち何れの表示形式とするかを決定し、上記画面決定手段が決定した画面ＩＤの画面を、その決定した表示形式で上記表示器に表示させる表示制御手段とを設け、上記表示制御手段を、上記使用データが、上記画面決定手段が決定した画面ＩＤの画面について上記簡略表示を使用しない旨を示すものであった場合に、上記受付手段が受け付けた選択に関わらず、上記通常表示の画面を上記表示器に表示させる手段としたものである。
【０００７】
このような電子楽器において、上記複数の通常表示の画面が、画面の遷移順を基準とするツリー構造を有するようにし、そのツリー構造の最上位の画面についてのみ、上記使用データを上記簡略表示を使用する旨を示すデータとし、上記最上位以外の画面については、上記記憶手段に上記簡略表示の画面のデータは記憶させず、かつ、上記使用データが上記簡略表示を使用しない旨を示すデータとするとよい。
【０００８】
さらに、上記記憶手段を、１つの上記通常表示の画面と対応する複数種類の簡略表示の画面のデータを記憶する手段とし、上記受付手段を、上記表示器に上記複数種類のうちいずれの種類の簡略表示の画面を表示させるかの選択も受け付ける手段とするとよい。
さらにまた、ユーザの操作に従って上記記憶手段が記憶している簡略表示の画面のデータを編集する手段と、ユーザの操作に従って上記簡略表示の画面のデータを作成し、新たな種類の簡略表示の画面のデータとして上記記憶手段に記憶させる手段とを設け、上記受付手段を、その新たな種類の簡略表示の画面を表示させる選択も受け付ける手段とするとよい。
【発明の効果】
【０００９】
以上のようなこの発明の電子楽器によれば、簡単な操作で、状況に応じた内容の情報を適切に参照できるようにすることができる。
【図面の簡単な説明】
【００１０】
【図１】この発明の電子楽器の一実施形態のハードウェア構成を示すブロック図である。
【図２】図１に示した電子楽器が表示する複数の画面の相互の関係を示す図である。
【図３】画面の複数の表示形式の例を示す図である。
【図４】画面遷移と表示切替との関係を示す図である。
【図５】図１に示した電子楽器が記憶する１画面分の画面データの構成例を示す図である。
【図６】図１に示した電子楽器のＣＰＵが画面切替指示に応じて実行する処理のフローチャートである。
【図７】同じく画面遷移指示に応じて実行する処理のフローチャートである。
【発明を実施するための形態】
【００１１】
以下、この発明を実施するための最良の形態を図面に基づいて具体的に説明する。
まず、図１に、この発明の電子楽器の一実施形態のハードウェア構成を示す。
図１に示すように、電子楽器１０は、ＣＰＵ１１、ＲＯＭ１２、ＲＡＭ１３，ＭＩＤＩ（Musical Instruments Digital Interface：登録商標）＿Ｉ／Ｆ（インタフェース）１４、通信Ｉ／Ｆ１５、検出回路１９，２０、表示回路２１、音源回路２２、効果回路２３を備え、これらがシステムバス２５により接続されている。また、検出回路１９，２０及び表示回路２１には、それぞれ演奏操作子１６、設定操作子１７及び表示器１８が接続され、効果回路２３にはサウンドシステム２４が接続されている。
【００１２】
そして、ＣＰＵ１１は、電子楽器１０全体を制御する制御手段であり、ＲＯＭ１２に記憶された所要の制御プログラムを実行することにより、検出回路１９，２０を介した演奏操作子１６や設定操作子１７の操作検出、表示回路２１を介した表示器１８における表示の制御、ＭＩＤＩ＿Ｉ／Ｆ１４や通信Ｉ／Ｆ１５を介した通信の制御、音源回路２２における楽音生成制御、効果回路２３における効果付与制御等の制御動作を行う。
【００１３】
ＲＯＭ１２は、ＣＰＵ１１が実行する制御プログラムや、表示器１８に表示させる画面の内容を示す画面データ、音源回路２２が楽音生成に使用する音色データ等、あまり頻繁に変更する必要のないデータを記憶する、フラッシュメモリ等による書き換え可能な不揮発性記憶手段である。
ＲＡＭ１３は、ＣＰＵ１１のワークメモリとして使用したり、電子楽器１０の動作に反映させるパラメータの値を記憶させたりする記憶手段である。
ＭＩＤＩ＿Ｉ／Ｆ１４は、ＭＩＤＩシーケンサ等の外部装置との間でＭＩＤＩデータの入出力を行うためのインタフェースである。
通信Ｉ／Ｆ１５は、ＬＡＮ（ローカルエリアネットワーク）等のネットワークを介して外部のコンピュータと通信を行うためのインタフェースである。
【００１４】
演奏操作子１６は、ユーザによる演奏操作を受け付けるための鍵盤等の操作子である。
設定操作子１７は、電子楽器１０の操作パネル上に設けた、ボタン、ノブ、スライダ、タッチパネル等の操作子であり、パラメータの設定や、画面や動作モードの切り替え等、ユーザからの種々の指示を受け付けるための操作子である。
【００１５】
表示器１８は、液晶ディスプレイ（ＬＣＤ）や発光ダイオード（ＬＥＤ）ランプ等によって構成され、電子楽器１０の動作状態や設定内容あるいはユーザへのメッセージ、ユーザからの指示を受け付けるためのグラフィカル・ユーザ・インタフェース（ＧＵＩ）等を表示するための表示手段である。
検出回路１９，２０及び表示回路２１は、それぞれ演奏操作子１６、設定操作子１７及び表示器１８をシステムバス２５に接続し、ＣＰＵ１１が操作内容の検出や表示内容の設定を行うことができるようにするためのインタフェースである。
【００１６】
音源回路２２は、演奏操作子１６の操作に応じてＣＰＵ１１が生成したり、ＭＩＤＩ＿Ｉ／Ｆ１４を介して外部装置から受信したりしたＭＩＤＩイベントに応じて、ＣＰＵ１１による制御に従い、複数の発音チャンネルで楽音信号である波形データを生成する楽音生成手段である。
【００１７】
効果回路２３は、同じくＭＩＤＩイベントに応じて、ＣＰＵ１１による制御に従い、音源回路２２が生成した波形データに、コーラスやリバーブ等の音響効果を付与する効果付与手段である。
サウンドシステム２４は、スピーカとＤ／Ａコンバータを備え、効果回路２３から波形データの供給を受けてその波形データに基づく発音を行う発音手段である。
【００１８】
以上のような構成を有する電子楽器１０において、特徴的な点は、表示器１８に表示させる画面の切り替えに関連した制御である。そこで、以下、この点について説明する。
まず、図２に、電子楽器１０が表示する複数の画面の相互の関係を示す。
電子楽器１０は、電子楽器１０においてなされている設定の内容を表示したり、設定内容の変更操作を受け付けたりするための画面として、種々の画面を表示器１８に表示させることが可能である。そして、その画面相互の関係は、図２に示す通りである。
【００１９】
すなわち、まず、いくつかの動作モード毎に、その動作モードで使用する画面のセットである画面セットＳ，Ｔ，Ｕが用意されている。動作モードは、例えば、１又は複数のノート範囲毎に１つの音色を割り当て、演奏操作に従ってその音色で発音を行うボイスモード、１又は複数のノート範囲毎に複数の音色を規定するパフォーマンスを割り当て、演奏操作に従ってその複数の音色を重ねた発音を行うパフォーマンスモード、シーケンサ機能を使って曲の再生を行うソングモード等である。図２では画面セットが３つである例を示したが、数がこれに限られないことはもちろんである。
【００２０】
また、各画面セットＳ〜Ｕは、対応する動作モードが選択された場合に最初に表示されるトップ画面、そのトップ画面の表示中に所定の操作がなされた場合に表示される下位画面、下位画面の表示中に所定の操作がなされた場合に表示されるさらに次の下位画面、というような複数の画面により構成される。そして、これらの画面は、図２に示すように画面の遷移順を基準としてツリー構造で表現可能である。ここで、下位画面とはトップ画面以外の全ての画面、つまり、画面セットのツリー構造において最上位階層以外の下位階層にある全ての画面を表す。また、図２では矢印が画面の遷移方向を示すが、前の画面に戻る動作も可能である。
さらに、図２に示す通り、各画面セットＳ〜Ｕにおいて、トップ画面については、それぞれ表示形式の異なる複数の画面を用意している。
【００２１】
これらの画面及びその画面間の遷移について、図３及び図４を用いて説明する。
図３は、トップ画面の複数の表示形式の例を示す図である。
電子楽器１０において、図２に示したトップ画面については、通常表示と簡略表示との２つの表示形式を用意している。
【００２２】
このうち通常表示は、機能性を重視した表示形式であり、主として電子楽器１０における設定の変更操作を受け付ける用途を意識して、多数の設定内容を表示する表示形式である。また、簡略表示は、参照性を重視した表示形式であり、主として電子楽器１０の演奏中に重要な設定内容を参照する用途を意識して、通常表示の画面に表示される情報の一部を、通常表示より見やすい状態で表示する表示形式である。
【００２３】
例えば、図３（ａ）に示す通常表示のトップ画面１００は、現在の動作モードを表示するモード表示１０１と、それぞれ現在使用中の音色のバンク、音色番号、カテゴリ及び音色名を示すバンク表示１０２、音色番号表示１０３、カテゴリ表示１０４、音色名表示１０５と、それぞれコーラス効果とリバーブ効果のオンオフを示すコーラス表示１０６及びリバーブ表示１０７とを含んでいる。
【００２４】
図３（ｂ）に示す簡略表示のトップ画面１１０は、通常表示のトップ画面１００に表示されていた情報のうち、現在使用中の音色の音色番号、カテゴリ及び音色名を、より大きなサイズの文字で表示する音色番号表示１１３、カテゴリ表示１１４及び音色名表示１１５を含んでいる。
【００２５】
ここでは簡略表示のトップ画面１１０を１種類のみ示したが、表示するパラメータの種類を変えたり、あるいはパラメータの種類は一定にしてフォントの種類やサイズ、色、あるいは表示位置などを変えたりした複数種類の簡略表示のトップ画面を用意してもよい。
電子楽器１０において、通常表示のトップ画面１００と簡略表示のトップ画面１１０は、図２に示した画面遷移のための操作とは独立した表示切替指示により切り替えることができる。
【００２６】
図４に、画面遷移と表示切替との関係を示す。
まず、電子楽器１０においては、トップ画面の表示中に所定の画面遷移指示がなされた場合に、その指示に応じて図２を用いて説明したように表示が下位画面に切り替わる。
ユーザは、この画面遷移指示を、例えば詳細設定を行うための下位画面を呼び出すボタンの押下により行うことができる。また、基本的には、図２に示したように画面毎に予め規定された特定の遷移先への遷移の指示のみ行うことができる。ただし、特定の画面と関連づけたボタンやコマンドを用意しておき、そのボタンの押下やコマンドの実行により、その関連づけた画面に直接ジャンプできるようにすることは考えられる。
【００２７】
一方、電子楽器１０においては、表示切替指示がなされた場合に、ディスプレイに表示させるトップ画面の表示形式が通常表示と簡略表示との間でトグルで切り替わる。簡略表示のトップ画面が複数種類用意されている場合には、図４に示すように、通常表示のトップ画面と複数種類の簡略表示のトップ画面とを所定の順番で循環するように切り替えることができるようにするとよい。ユーザは、この表示切替指示を、例えばシフトキーとカーソルキーの同時押しにより行うことができる。あるいは、各種類と対応する選択ボタンを設け、所望の表示形式をワンタッチで選択できるようにしたり、ディスプレイにポップアップ表示されるメニューから選択できるようにしたりしてもよい。
【００２８】
この表示切替指示により指定される表示形式の種類の情報は、画面遷移指示に応じて変更される、画面の図２に示したツリー上の位置を示す情報とは別に記憶されるものである。
また、表示切替指示は、どの画面の表示中であっても同じように行うことができる。すなわち、図２に示したトップ画面の表示中でも、下位画面の表示中でも同じように行うことができる。
【００２９】
ただし、電子楽器１０においては、図２に示した通り、トップ画面以外の下位画面については表示形式を通常表示１種類しか用意していないため、トップ画面以外の下位画面の表示中に表示切替処理を行っても、簡略表示の下位画面は表示されず、通常表示の下位画面が表示されたままである。
【００３０】
また、簡略表示のあるトップ画面において表示形式を簡略表示に切り替え、その後画面遷移指示を行って下位画面に遷移させた場合も、簡略表示の下位画面ではなく通常表示の下位画面が表示される。しかし、この状態でも「簡略表示を行う」旨の情報は残っているため、画面遷移指示に従って再度トップ画面の表示に戻った場合には、そのトップ画面は簡略表示で表示される（図４の矢印Ａ参照）。
【００３１】
次に、図５に、電子楽器１０に記憶させる１画面分の画面データの構成例を示す。
図５に示すように、画面データは、ヘッダと、任意の数の項目データと、動作データとを有する。この形式については、トップ画面と下位画面、あるいは通常表示と簡略表示とで特に差異を設ける必要はない。
【００３２】
また、ヘッダは、画面ＩＤ、背景データ、表示項目数、画面種別、簡略表示使用フラグを含む。画面ＩＤは、画面の図２に示したツリー上の位置を規定するデータ、背景データは、画面の背景色又は背景画像を示すデータ、表示項目数は、画面データ中に含まれる項目データの数すなわち画面中に表示するパラメータやメッセージ等の項目の数を示すデータ、画面種別は、画面が通常表示の画面か簡略表示の画面か（簡略表示が複数種類ある場合にはどの種類の簡略表示か）を示すデータ、簡略表示使用フラグは、該当の画面ＩＤの画面において簡略表示を使用するか否かを示すデータである。これらのうち簡略表示使用フラグが使用データである。
【００３３】
なお、簡略表示使用フラグの値は、実際に電子楽器１０に対応する簡略表示の画面のデータを記憶させるか否かとは独立に定めることができる。例えば、対応する簡略表示の画面のデータを記憶させていても、簡略表示を使用しないことを示す値を設定してもよい。ただ、対応する簡略表示の画面のデータを記憶させていない通常表示の画面のデータでは、必ず簡略表示を使用しないこと示す値を設定する。
図２に示した画面セットＳにおいては、トップ画面についてのみ簡略表示の画面のデータを用意し、他の下位画面については用意していないため、トップ画面の画面データでのみ簡略表示使用フラグをＯＮにし、他の下位画面の画面データでは簡略表示使用フラグをＯＦＦにしている。
【００３４】
次に、各項目データは、画面上に配置する表示領域とその表示内容を規定するデータであり、各々、パラメータＩＤ、表示位置、表示色、フォント種類、文字サイズのデータを含む。パラメータＩＤは、その表示領域に値を表示するパラメータの種類を示すデータ、表示位置は、表示領域の位置を示すデータである。なお、画面にはパラメータの名称やメッセージ等の固定的な文字列も表示可能であり、これを表示する場合には、その文字列を示すＩＤをパラメータＩＤの位置に格納しておけばよい。また、表示色、フォント種類、および文字サイズは、パラメータの値等の表記に用いる文字の色、フォント種類及びサイズを規定するデータである。
【００３５】
動作データは、表示中の画面において受け付ける画面特有の指示の内容を規定するデータであり、指示検出のトリガとして用いるトリガイベント毎に、その検出時に実行する動作の内容を規定している。トリガイベントとしては、操作子の操作（タッチパネル上の所定の領域へのタッチを含む）や所定時間の経過等が挙げられ、実行動作としては、パラメータの値の変更や、特定のＩＤの画面への遷移が挙げられる。
【００３６】
なお、電子楽器１０が受け付ける指示には、画面特有の指示の他に、動作モード毎、あるいは全動作モードで共通の指示があり、その内容は図示しないデータで規定されている。
また、以上の画面データは、別ＩＤの画面はもちろん、通常表示の画面と簡略表示の画面とでも別々に用意するものである。一方、図２に示したツリー上で同じ位置に来る画面の通常表示と簡略表示については、同じ画面ＩＤを付してその対応関係を示している。ただし、別の手段で対応関係を示すことができるのであれば、簡略表示の画面に独自のＩＤを付すことは妨げられない。
【００３７】
なお、簡略表示を複数種類用意する場合、各種類毎に１つの画面データを用意するようにしてもよい。しかし、表示する項目が共通し、フォントの色、種類およびサイズのみが相違するのであれば、複数種類の簡略表示に使用する１つの画面データを用意し、その画面データ中において、種類毎に相違する部分のデータのみを種類毎に用意して、他のデータについては複数種類の簡略表示で共用するようにすることもできる。
また、各動作モードにおけるトップ画面は、動作モードの内容を規定する図示しないデータ中で、画面ＩＤにより指定しておけばよい。
【００３８】
次に、図６及び図７に、以上説明してきた画面の表示を行うために電子楽器１０のＣＰＵ１１が実行する処理を示す。
図６は、表示切替指示に応じた処理のフローチャートである。
ＣＰＵ１１は、表示切替のトリガイベントとして規定されているイベントの発生（所定キーの押下など）を検出すると、表示切替指示があったものとして図６のフローチャートに示す処理を開始する。
【００３９】
そして、図６の処理において、ＣＰＵ１１はまず、図４に示した切り替え順や、操作されたボタンと対応する表示形式の情報などを参照して、切り替え後の表示形式が通常表示と、１又は複数種類の簡略表示とのうち、どの形式の表示であるかの情報を取得する（Ｓ１１）。その後、表示器１８に表示中の画面の画面データにおける簡略表示使用フラグがＯＮであるか否か判断する（Ｓ１２）。
【００４０】
ここでＯＮであれば、通常表示と簡略表示との切り替えが可能であると判断し、ＲＡＭ１３に設けた表示形式レジスタの内容を、ステップＳ１１で取得した切り替え後の表示形式を示す値に変更する（Ｓ１３）。
その後、表示中の画面の画面ＩＤを有する、表示形式レジスタの値が示す表示形式の画面を、画面データに基づき描画し（Ｓ１４）、描画した画面を表示器１８に表示させて（Ｓ１５）、処理を終了する。
【００４１】
ステップＳ１４の処理に用いる画面データは、画面ＩＤと表示形式により画面データセットから検索すればよい。描画処理は、背景データにより規定される背景画像に、各項目データにより規定されるパラメータ値やメッセージなどの文字の画像を配置する処理である。
【００４２】
以上の処理により、簡略表示を使用する旨が設定されている画面の表示中には、表示切替指示操作に応じて、通常表示と簡略表示とを切り替えることができる。
なお、ステップＳ１２でＮＯの場合、すなわち、表示中の画面において簡略表示を使用しない旨が設定されている場合には、そのまま処理を終了する。従って、表示の切り替えを行わないだけでなく、表示形式レジスタの値の変更も行わない。
【００４３】
これは、表示の切り替えを伴わずに表示形式レジスタの値だけ変更してしまうと、ユーザにとって現在の表示形式レジスタの値の把握が困難になってしまうので、これを避けるためである。
ただし、このようにすることは必須ではなく、ステップＳ１２でＮＯの場合でもステップＳ１３と同様に表示形式レジスタの値を変更するようにしてもよい。
【００４４】
次に、図７は、画面遷移指示に応じた処理のフローチャートである。
ＣＰＵ１１は、表示中の画面の画面データにおいて画面遷移のトリガイベントとして規定されているイベント（所定キーの押下や所定時間経過など）の発生を検出したり、動作モード毎あるいは全動作モードで共通の画面遷移のトリガイベントとして規定されているイベントの発生を検出したりすると、画面遷移指示があったものとして図７のフローチャートに示す処理を開始する。
【００４５】
そして、図７の処理において、ＣＰＵ１１はまず、図５に示した画面データを参照したり、その他のトリガイベントと対応させて記憶しているデータを参照したりすることにより、遷移先の画面の画面ＩＤを取得する（Ｓ２１）。その後、遷移先の画面の画面データにおける簡略表示使用フラグがＯＮであるか否か判断する（Ｓ２２）。
【００４６】
ここでＯＮであれば、遷移先の画面においては簡略表示を使用する、すなわち表示形式レジスタの内容に応じた表示形式の画面を表示可能であることがわかるので、遷移先の画面の画面ＩＤを有する、表示形式レジスタの値が示す表示形式の画面を、画面データに基づき描画し（Ｓ２３）、描画した画面を表示器１８に表示させて（Ｓ２５）、処理を終了する。
【００４７】
一方、ステップＳ２２でＮＯの場合には、遷移先の画面においては簡略表示を使用しないことがわかるので、表示形式レジスタの値によらず、遷移先の画面の画面ＩＤを有する通常表示の画面を画面データに基づき描画し（Ｓ２４）、描画した画面を表示器１８に表示させて（Ｓ２５）、処理を終了する。
ステップＳ２３及びＳ２４で行う描画処理の内容は、画像データの検索条件を除けば、図６のステップＳ１４のものと同じである。
【００４８】
以上の処理により、簡略表示の画面の表示中に、簡略表示を用いない画面ＩＤの画面への遷移指示を行った場合でも、ユーザに設定変更の手間をかけることなく、また、設定変更自体も意識させることなく、遷移先の画面を通常表示で表示することができる。
また、この状態から再度簡略表示を用いる画面ＩＤの画面への遷移指示（例えば前の画面に戻る指示）を行った場合には、遷移先の画面を、先に選択していた表示形式の通り、簡略表示させることができる。すなわち、簡略表示を用いない画面ＩＤの画面へ遷移した場合でも、表示形式レジスタの値がクリアされることはないため、画面遷移の度に簡略表示への表示切替操作を行わなくても、簡略表示を用いる画面ＩＤの画面については自動的に簡略表示を行うことができる。
【００４９】
ここで、簡略表示については、図２に示したように、トップ画面について使用可能とすることが好適である。トップ画面は、演奏時に表示させておくことが多く、最も重要な設定項目の内容を表示する画面であることが多いためである。
一方、下位の画面については、詳細な項目の設定操作を受け付ける画面であることが多いため、通常表示で表示する項目のうち一部のみを表示する簡略表示には馴染まない。
【００５０】
このような状況下において、上述した電子楽器１０を用いれば、演奏中にトップ画面を簡略表示で表示させ、音色の情報を一目で参照できるようにしつつ、必要に応じて画面遷移指示のみで通常表示の下位画面に移動して設定の変更を行い、また画面遷移指示のみで簡略表示のトップ画面に戻って演奏を継続することができる。従って、一部の画面にしか簡略表示を用意しない場合でも、簡単な操作で簡略表示画面を効率的に活用することができる。
また、トップ画面を通常表示で表示させている場合には、同じ操作で画面を遷移させて設定の変更を行い、通常表示のトップ画面に戻ることができる。従って、通常表示時の操作性が低下することもない。
【００５１】
以上で実施形態の説明を終了するが、装置の構成や具体的なデータ形式、画面の表示内容、表示形式、実行する処理内容等が上述の実施形態で説明したものに限られないことはもちろんである。
まず、上述した実施形態においては、トップ画面についてのみ簡略表示を使用するようにした例について説明したが、下位画面についても簡略表示を使用できるようにしてもよいことはもちろんである。
【００５２】
また、簡略表示用の画面データをユーザが新たに作成して追加したり、既存の画面データを編集できるようにしてもよい。
また、簡略表示用のデータが用意されている画面については、簡略表示の使用有無、すなわち簡略表示使用フラグの値をユーザが設定できるようにしてもよい。さらに、簡略表示用の画面データの有無に合わせて、各画面の画面データにおける簡略表示使用フラグの値を自動的に設定できるようにしてもよい。
【００５３】
また、簡略表示使用フラグを、画面毎に個別に用意することも必須ではない。例えば、図２に示したような画面のツリー構造に階層を定義できる場合には、階層毎に簡略表示の使用有無を設定し、画面データを参照できなくても、階層情報のみで簡略表示の使用有無を判断できるようにすることも考えられる。さらに、図２の例のようにトップ画面のみで簡略表示をする場合、「トップ画面であるか否か」を簡略表示の使用有無の判断基準として用いてもよい。すなわち、いかなる形式であっても、各通常表示の画面のうちいずれについて簡略表示を使用するのかが把握できるようになっていれば、上述した実施形態の動作に問題はない。
【００５４】
また、上述した実施形態では、この発明を適用すると特に効果的である電子楽器１０を例に取って説明したが、この発明が、他の楽音信号生成装置に適用可能であることはもちろんである。例えば、演奏操作子を有さず、外部から供給される演奏データに応じて楽音信号を生成する音源装置や、予め記憶されているＭＩＤＩ楽曲データに基づいて楽音信号を生成するＭＩＤＩシーケンサなどについても、この発明は適用可能である。
以上説明してきた実施形態の構成や各種の変形は、矛盾しない範囲で適宜組み合わせて適用可能である。
【産業上の利用可能性】
【００５５】
以上の説明から明らかなように、この発明の電子楽器によれば、簡単な操作で、状況に応じた内容の情報を適切に参照できるようにすることができる。
従って、この発明を適用することにより、操作性の高い電子楽器を提供することができる。
【符号の説明】
【００５６】
１０…電子楽器、１１…ＣＰＵ、１２…ＲＯＭ、１３…ＲＡＭ、１４…ＭＩＤＩ＿Ｉ／Ｆ、１５…通信Ｉ／Ｆ、１６…演奏操作子、１７…設定操作子、１８…表示器、１９，２０…検出回路、２１…表示回路、２２…音源回路、２３…効果回路、２４…サウンドシステム、２５…システムバス、１００…通常表示のトップ画面、１１０…簡略表示のトップ画面
【図１】
2010169866.tif 000003
【図２】
2010169866.tif 000004
【図３】
2010169866.tif 000005
【図４】
2010169866.tif 000006
【図５】
2010169866.tif 000007
【図６】
2010169866.tif 000008
【図７】
2010169866.tif 000009